(57)【要約】      （修正有）【課題】リンク先である広告主ののＵＲＬをパートナーサイトのＷｅｂページに記述またはコピー・ペーストするだけで、アフィリエイトシステムを利用可能にする。【解決手段】ユーザー端末装置からの要求に応じてＷｅｂページを表示させる広告主サイトサーバー装置であって、Ｗｅｂページにアクセスしてきたユーザー端末装置のリンク元情報がパートナーサイト認証ファイルに予め定義されているリンク元情報かをチェックし、リンク元情報であることを示す場合に、１）エンドユーザー端末装置へ送信するトラッキング用クッキーを出力するクッキー発行手段と、２）アフィリエイトサーバー装置へ送信するクリックログファイルを出力する出力手段と、アフィリエイトサーバー装置へクリックログファイルを送信するクリックログ送信手段と、トラッキング用クッキーを読み込み、アフィリエイトサーバー装置へ成果情報を送信する成果情報送信手段とを有する。【選択図】図２
2014142724.tif 000002
【特許請求の範囲】
【請求項１】
コンピュータネットワークを介してエンドユーザー端末装置、パートナーサイトサーバー装置、およびアフィリエイトサーバー装置と接続され、前記エンドユーザー端末装置からの要求に応じて所定のＷｅｂページを表示させる広告主サイトサーバー装置であって、
前記エンドユーザー端末装置からの要求に応じて少なくともランディングページを提供するＷｅｂページ提供手段と、
前記Ｗｅｂページ提供手段が提供するＷｅｂページにアクセスしてきたエンドユーザー端末装置のリンク元情報がパートナーサイト認証ファイルに予め定義されているリンク元情報かをチェックするパートナーサイトチェック手段と、
前記パートナーサイトチェック手段によるチェックの結果が、前記エンドユーザー端末装置のリンク元情報が前記パートナーサイト認証ファイルに予め定義されているリンク元情報であることを示す場合に、
前記エンドユーザー端末装置へ送信するトラッキング用クッキーを出力するクッキー発行手段と、
前記アフィリエイトサーバー装置へ送信するクリックログファイルを出力するクリックログファイル出力手段と、
前記アフィリエイトサーバー装置へ前記クリックログファイルを送信するクリックログ送信手段と、
前記エンドユーザー端末装置からの要求に応じて前記Ｗｅｂページ提供手段がサンクスページを提供する場合に、前記エンドユーザー端末装置から前記トラッキング用クッキーを読み込み、前記アフィリエイトサーバー装置へ成果情報を送信する成果情報送信手段と
を有することを特徴とする広告主サイトサーバー装置。
【請求項２】
前記リンク元情報は、パートナーサイトのＵＲＬを含み、
前記パートナーサイトチェック手段は、前記リンク元情報に含まれるパートナーサイトのＵＲＬと、前記パートナーサイト認証ファイルに予め定義されているＵＲＬとが、完全に一致するかをチェックする、請求項１に記載の広告主サイトサーバー装置。
【請求項３】
前記パートナーサイトチェック手段は、前記リンク元情報に含まれるパートナーサイトのＵＲＬのトップドメインを含む所定階層までと、前記パートナーサイト認証ファイルに予め定義されているＵＲＬとが、完全に一致するかをチェックする、請求項２に記載の広告主サイトサーバー装置。
【請求項４】
コンピュータネットワークを介してエンドユーザー端末装置、パートナーサイトサーバー装置、およびアフィリエイトサーバー装置と接続され、前記エンドユーザー端末装置からの要求に応じて所定のＷｅｂページを表示させる広告主サイトサーバー管理方法であって、
Ｗｅｂページ提供手段が、前記エンドユーザー端末装置からの要求に応じて少なくともランディングページを提供するＷｅｂページ提供ステップと、
パートナーサイトチェック手段が、前記パートナーサイトサーバー装置が提供するＷｅｂページを経由してアクセスしてきたエンドユーザー端末装置のリンク元情報がパートナーサイト認証ファイルに予め定義されているリンク元情報かをチェックするパートナーサイトチェックステップと、
前記パートナーサイトチェック手段によるチェックの結果が、前記エンドユーザー端末装置のリンク元情報が前記パートナーサイト認証ファイルに予め定義されているリンク元情報であることを示す場合に、
クッキー発行手段が、前記エンドユーザー端末装置へ送信するトラッキング用クッキーを出力するクッキー発行ステップと、
クリックログファイル出力手段が、前記アフィリエイトサーバー装置へ送信するクリックログファイルを出力するクリックログファイル出力ステップと、
クリックログ送信手段が、前記アフィリエイトサーバー装置へ前記クリックログファイルを送信するクリックログ送信ステップと、
成果情報送信手段が、前記エンドユーザー端末装置からの要求に応じて前記Ｗｅｂページ提供手段がサンクスページを提供する場合に、前記エンドユーザー端末装置から前記トラッキング用クッキーを読み込み、前記アフィリエイトサーバー装置へ成果情報を送信する成果情報送信ステップと
を有することを特徴とする広告主サイトサーバー管理方法。
【請求項５】
請求項４に記載の広告主サイトサーバー管理方法の各ステップをコンピュータに実行させることを特徴とする広告主サイトサーバープログラム。
【発明の詳細な説明】
【技術分野】
【０００１】
本発明は、広告主サイトサーバー装置、広告主サイトサーバー管理方法、および広告主サイトサーバー管理プログラムに関する。
【背景技術】
【０００２】
パートナーのＷｅｂサイト（以下、「パートナーサイト」ともいう）が広告主サイトへリンクを張り、閲覧者（以下、「エンドユーザ」ともいう）がそのリンクを経由して当該広告主のサイトで会員登録したり商品を購入したりすると、リンク元であるパートナーサイトに報酬が支払われるという仕組みがあり、これをアフィリエイトシステムまたは単にアフィリエイトと呼ぶ。
パートナーサイトのＷｅｂページにアフィリエイト用リンクを埋め込むためには、１）まずアフィリエイト管理サーバー装置が提供するアフィリエイト用リンク生成のためのＷｅｂページにてアフィリエイト用リンクを生成させ、２）次に、生成させたアフィリエイト用リンクをパートナーサイトのＷｅｂページのソースコード内にコピー・ペーストする必要があった（例えば、特許文献１参照）。
【先行技術文献】
【特許文献】
【０００３】
【特許文献１】特許第４６４７７１７号公報
【発明の概要】
【発明が解決しようとする課題】
【０００４】
前記のごとく、従来は、アフィリエイト用リンク生成のためのＷｅｂページにてアフィリエイト用リンクを都度生成させ、生成させたアフィリエイト用リンクをパートナーサイトのＷｅｂページのソースコード内にコピー・ペーストする必要があり、煩わしかった。
【０００５】
そこで本発明は、上記問題点を解決するためになされたものであり、アフィリエイト用リンク生成のためのＷｅｂページにてアフィリエイト用リンクを都度生成させる必要がなく、リンク先である広告主のサイトのＵＲＬをパートナーサイトのＷｅｂページのソースコード内に記述またはコピー・ペーストするだけで、アフィリエイトシステムを利用可能にするものである。
【課題を解決するための手段】
【０００６】
本発明の広告主サイトサーバー装置は、
コンピュータネットワークを介してエンドユーザー端末装置、パートナーサイトサーバー装置、およびアフィリエイトサーバー装置と接続され、前記エンドユーザー端末装置からの要求に応じて所定のＷｅｂページを表示させる広告主サイトサーバー装置であって、
前記エンドユーザー端末装置からの要求に応じて少なくともランディングページを提供するＷｅｂページ提供手段と、
前記Ｗｅｂページ提供手段が提供するＷｅｂページにアクセスしてきたエンドユーザー端末装置のリンク元情報（以下、「リファラー」ともいう）がパートナーサイト認証ファイルに予め定義されているリンク元情報かをチェックするパートナーサイトチェック手段と、
前記パートナーサイトチェック手段によるチェックの結果が、前記エンドユーザー端末装置のリンク元情報が前記パートナーサイト認証ファイルに予め定義されているリンク元情報であることを示す場合に、
前記エンドユーザー端末装置へ送信するトラッキング用クッキーを出力するクッキー発行手段と、
前記アフィリエイトサーバー装置へ送信するクリックログファイルを出力するクリックログファイル出力手段と、
前記アフィリエイトサーバー装置へ前記クリックログファイルを送信するクリックログ送信手段と、
前記エンドユーザー端末装置からの要求に応じて前記Ｗｅｂページ提供手段がサンクスページを提供する場合に、前記エンドユーザー端末装置から前記トラッキング用クッキーを読み込み、前記アフィリエイトサーバー装置へ成果情報を送信する成果情報送信手段と
を有することを特徴とする広告主サイトサーバー装置である。
【０００７】
前記リンク元情報は、パートナーサイトのＵＲＬを含み、
前記パートナーサイトチェック手段は、前記リンク元情報に含まれるパートナーサイトのＵＲＬと、前記パートナーサイト認証ファイルに予め定義されているＵＲＬとが、完全に一致するかをチェックする、ことが好ましい。
【０００８】
前記パートナーサイトチェック手段は、前記リンク元情報に含まれるパートナーサイトのＵＲＬのトップドメインを含む所定階層までと、前記パートナーサイト認証ファイルに予め定義されているＵＲＬとが、完全に一致するかをチェックする、ことが好ましい。
【発明の効果】
【０００９】
このような構成とすることで、広告主サイトにアクセスしてきたエンドユーザーのリファラーを調べ、認証されているパートナーサイトを経由してアクセスしてきたエンドユーザーの端末装置にクッキーを送り、かつクリックログを出力してアフィリエイトサーバー装置に送り、その後、当該エンドユーザーの端末装置がサンクスページに到達したら、成果情報をアフィリエイトサーバー装置に送ることにより、広告主がパートナーサイト管理者に報酬を支払うために必要な情報を得ることができる。
【図面の簡単な説明】
【００１０】
【図１】本発明の実施形態にかかるアフィリエイトシステム全体の概要を示す。
【図２】本発明の実施形態にかかる広告主サイトサーバー装置の機能構成を示す。
【図３】本発明の実施形態にかかるアフィリエイトサーバー装置の機能構成を示す。
【図４】パートナーサイト認証用ファイルを説明するための図である。
【図５】広告主サイトサーバーで発行されるクッキーを説明するための図である。
【図６】広告主サイトサーバーで発行されるクリックログを説明するための図である。
【図７】アフィリエイトリンクを説明するための図である。
【図８】成果送信用ソケットプログラムを説明するための図である。
【図９】成果受信用ソケットプログラムを説明するための図である。
【図１０】広告主サイトサーバー装置における処理の流れを説明するための図である。
【図１１】広告主サイトサーバー装置における処理の流れを説明するための図である。
【図１２】広告主サイトサーバー装置における処理の流れを説明するための図である。
【発明を実施するための形態】
【００１１】
以下、図面を参照しながら、本発明のアフィリエイト管理サーバー装置の実施形態について説明する。
＜全体概要＞
図１に示すように、エンドユーザー端末装置１−ｋ（ｋ＝１，２，・・・ｍ）（ｍは任意の自然数）、パートナーサイトサーバー装置２−ｎ（ｎ＝１，２，・・・ｐ）（ｐは任意の自然数）、広告主サイトサーバー装置３−ｒ（ｒ＝１，２，・・・ｓ）（ｓは任意の自然数）、共有ストレージ装置４、アフィリエイトサーバー装置５がインターネットなどのネットワークＮＷを介して接続されている。
広告主サイトサーバー装置３−ｒにはパートナーサイト情報ＤＢ３−ｒ−１が接続され、アフィリエイトサーバー装置５にはパートナーサイト情報ＤＢ６及び成果情報ＤＢ６が接続される。
【００１２】
エンドユーザー端末装置１−ｋ、パートナーサイトサーバー装置２−ｎ、広告主サイトサーバー装置３−ｒ、共有ストレージ装置４、アフィリエイトサーバー装置５は、ネットワークＮＷを介して、通信プロトコルに例えばＴＣＰ／ＩＰ等を用いて相互にデータ送受信が可能である。
【００１３】
エンドユーザー端末装置１−ｋは、エンドユーザーが使用する端末装置である。エンドユーザーは端末装置１−ｋを使用して、パートナーサイトサーバー装置２−ｎが提供する第１のＷｅｂページを閲覧可能である。また、エンドユーザーが端末装置１−ｋを使用して、パートナーサイトサーバー装置２−ｎが提供するＷｅｂページ内のバナー広告をクリック等すると、バナー広告のリンク先である広告主サイトサーバー装置３−ｒが提供する第２のＷｅｂページへ遷移可能である。
【００１４】
以下の説明で使用する用語の定義は下記のとおりである。
パートナーサイトＩＤは、パートナーサイトに割り当てた一意の数値とする。
広告主サイトＩＤ（プロモーションＩＤ）は、広告主サイトに割り当てた一意の数値とする。
バナーＩＤは、全広告主サイトでかぶらない一意の数値とポイント媒体の場合はポイントサイト会員ＩＤ（文字列）（アフィリエイトリンクのケース参照）とする。
【００１５】
パートナーサイト認証用ファイルは、アフィリエイトシステムで認証したパートナーサイトＵＲＬなどの一覧とする。定期的に（例えば、一日一回）更新する。
Ｗｅｂサーバーソフトウェアのモジュールは、広告主サイトにアクセスした際に起動するＷｅｂサーバーソフトウェアのモジュールであって、起動された際にパートナーサイト認証用ファイルとリファラーを使用して認証する。その際にトラッキング用クッキーを出力する。広告主サーバーに設置される。
【００１６】
トラッキング用クッキーは、Ｗｅｂサーバーソフトウェアのモジュールにて出力するトラッキング用クッキーである。
画像配信プログラムは、パートナーサイトに掲載されたイメージ広告のイメージを出力する。提携状態などを見て配信可能かどうか確認し、出力可能な場合に画像の出力およびインプレッション（広告の露出(掲載)回数）を計測する。
【００１７】
ソケットプログラム（送信用）は、コンバージョン（商品購入や新規ユーザー登録など）の後のサンクス画面（サンクスページ）でクッキーを読み取り、必要な情報をソケットプログラム（受信用）にソケット通信する。また、トラッキング用クッキーを削除する。広告主サーバーに設置される。
【００１８】
ソケットプログラム（受信用）は、ソケットプログラム（送信用）で送られてきたデータをコンバージョンとして記録する。また処理の結果等を履歴として残す。
エンドユーザーは、パートナーサイトにて、クリックやコンバージョンをする一般閲覧者とする。
【００１９】
＜広告主サイトサーバー装置＞
図２に基づいて広告主サイトサーバー装置の機能構成を説明する。同図に示すように、広告主サイトサーバー装置は、Ｗｅｂページ提供手段２０１、除外リストチェック手段２０２、パートナーサイトチェック手段２０３、Ｃｏｏｋｉｅ発行手段２０４、クリックログ出力手段２０５、クリックログ送信手段２０６、成果データ送信手段２０７、記憶手段２０８を備える。
【００２０】
Ｗｅｂページ提供手段２０１は、エンドユーザー端末装置からの要求に応じて少なくともランディングページを提供する。
除外リストチェック手段２０２は、ノーリファラー（どのサイトも経由することなく、直接ページにアクセスしてきた）かなどをチェックする。
パートナーサイトチェック手段２０３は、Ｗｅｂページ提供手段２０１が提供するＷｅｂページにアクセスしてきたエンドユーザー端末装置のリンク元情報（以下、「リファラー」ともいう）がパートナーサイト認証ファイルに予め定義されているリンク元情報かをチェックする。
【００２１】
Ｃｏｏｋｉｅ発行手段２０４は、パートナーサイトチェック手段２０３によるチェックの結果が、「エンドユーザー端末装置のリンク元情報がパートナーサイト認証ファイルに予め定義されているリンク元情報である」ことを示す場合に、エンドユーザー端末装置へ送信するトラッキング用クッキーを出力する。
クリックログ出力手段２０５は、パートナーサイトチェック手段２０３によるチェックの結果が、「エンドユーザー端末装置のリンク元情報がパートナーサイト認証ファイルに予め定義されているリンク元情報である」ことを示す場合に、アフィリエイトサーバー装置へ送信するクリックログファイルを出力する。
【００２２】
クリックログ送信手段２０６は、アフィリエイトサーバー装置へクリックログファイルを送信する。
成果データ送信手段２０７は、エンドユーザー端末装置からの要求に応じてＷｅｂページ提供手段２０１がサンクスページを提供する場合に、エンドユーザー端末装置からトラッキング用クッキーを読み込み、アフィリエイトサーバー装置へ成果情報を送信する。
記憶手段２０８には、除外ドメインリスト、パートナーサイト情報が記憶される。除外ドメインリスト、パートナーサイト情報は定期的（例えば、２４時間毎）に更新される。
【００２３】
＜アフィリエイトサーバー装置＞
図３に基づいてアフィリエイトサーバー装置の機能構成を説明する。同図に示すように、アフィリエイトサーバー装置は、成果データ受信手段３０１、記憶手段３０２を備える。
成果データ受信手段３０１は、複数の広告主サイトサーバー装置の成果データ送信手段２０７から送信される成果データを受信する。
記憶手段３０２は、パートナーサイト情報、成果情報、クリックログ情報を記憶する。
記憶手段３０２に記憶されているパートナーサイト情報は、共有ストレージを経由して各広告主サイトサーバー装置へ送信される。
記憶手段３０２に記憶されているクリックログ情報は、複数の広告主サイトサーバー装置から共有ストレージを経由してアフィリエイトサーバー装置へ送信されたものをマージしたものである。
記憶手段３０２に記憶されている成果情報は、複数の広告主サイトサーバー装置の成果データ送信手段２０７から送信された成果データをマージしたものである。
【００２４】
＜トラッキング処理＞
図３は、本実施形態におけるトラッキング処理の流れを示す図である。同図に基づいて、処理の流れを以下に説明する。
Ｓ１０１：広告主サイトとパートナーサイトが提携状態でパートナーがアフィリエイトリンクを掲載する。
広告画像またはダミー画像（テキスト広告の場合）配信の処理は下記の通りとする。
画像配信プログラム例：http://img.gurunavi.jp/track/deliver_image.php?ga_bid=1000&ga_pid=10101
ここでga_bidはバナーIDを、ga_pidはパートナーサイトIDを示す。
バナーIDから広告主サイトIDを取得する。
広告主サイトIDとパートナーサイトIDの提携状態を確認する。
提携状態であることが確認された場合は、イメージ広告の場合は画像を配信し、テキスト広告の場合は、１×１のダミー画像を配信する。
インプレッションログを計測する。インプレッションは、広告が表示された回数を意味する。
【００２５】
Ｓ１０２：エンドユーザーがパートナーサイトで広告をクリックする。
Ｓ１０３：リンクをクリックしたエンドユーザーが広告主サイトのランディングページへ遷移する。
【００２６】
Ｓ１０４：Ｗｅｂサーバーソフトウェアのモジュール（Ｗｅｂページ提供手段）が起動し、下記処理を行う。
分散メモリキャッシュサーバ（例えば、memcached）にキャッシュされているパートナー認証ファイルを読み込む。
設定ファイルで指定した場所に格納されているパートナー認証ファイルは、所定のタイミングで（例えば、１日１回）、分散メモリキャッシュサーバへキャッシュされるものとする。
アクセスユーザのリファラーがパートナーサイト認証ファイル（パートナーサイト情報）に定義されているか検索する。
パートナーサイト認証ファイルに定義されているパートナーサイトの場合に、トラッキング用クッキーとクリックログファイルを出力する。
またリクエストパラメータにバナーIDがある場合、この情報を取得してトラッキング用クッキーとクリックログファイルを出力する。
【００２７】
Ｓ１０５：ソケットプログラムによる成果データの送信を行う。
成果地点（サンクスページ）に設置されたソケットプログラムにてクッキーを保持しているユーザーがアクセスした場合に、クッキーを読み込み（Ｓ１０５１）、
アフィリエイトシステムに成果情報を送信し（Ｓ１０５２）、
クッキーを削除する（Ｓ１０５３）。
【００２８】
Ｓ１０６：成果データの確定を行う。
アフィリエイトシステム（アフィリエイトサーバー）は、広告主側から送信された成果データを受信し、注文情報を処理する。
【００２９】
＜パートナーサイト認証用ファイル＞
図４（ａ）に本実施形態におけるパートナーサイト認証用ファイルフォーマットの一例を示す。
図４（ｂ）にパートナーサイト認証用ファイルの一例を示す。
図４（ｃ）に差分フラグの内容の一例を示す。
【００３０】
＜クッキー＞
図５（ａ）の内容にてクッキーの出力を行う。
図５（ｂ）にクッキー項目（値）の一例を示す。
図５（ｃ）にクッキー値フォーマットの一例を示す。
図５（ｄ）にクッキー内容の一例を示す。
【００３１】
＜クリックログ＞
図６（ａ）にクリックログフォーマットの一例を示す。
図６（ｂ）にクリックログの一例を示す。
分散メモリキャッシュサーバにキャッシュされているパートナーサイト認証ファイルに定義されている認証されたパートナーサイトかをチェックし、認証されたパートナーサイトからのアクセスであることが確認された場合にクリックログが出力される。
【００３２】
＜アフィリエイトリンク＞
本発明の実施形態のアフィリエイトシステムでは、パートナーがパートナー管理画面からアフィリエイトリンクを取得し、そのURLをパートナーサイトに記述することで広告を掲載することができる。パートナーがパートナーサイトのＷｅｂページのソースコード内へアフィリエイトリンクを直接書いてもよい。
アフィリエイトリンクは下記の３種類とする。
１）直リンク：バナーごとのクリックログの分析はできない。
２）直リンク+nofollow：バナーごとのクリックログの分析はできない。
３）トラッキング用パラメタ付き+nofollow：パラメタにはバナーIDを使用する。
「nofollow」は、「このページのリンクをたどらない」や「このリンクをたどらない」といった指示を検索エンジンに与える手段の１つである。
図７（ａ）に直リンクの例を示し、
図７（ｂ）に直リンク+nofollowの例を示し、
図７（ｃ）にトラッキング用パラメタ付き+nofollowの例を示す。
【００３３】
＜成果送信用ソケットプログラム＞
成果送信用ソケットプログラム（成果データ送信手段）の処理の概要について説明する。
下記の読み込み条件を満たす場合にトラッキング用クッキーをエンドユーザー端末装置から読み込む。
・ドメイン名が自サーバー（広告主サーバー）のドメインであること。
・クッキー名が「g_広告主サイトID」
上記条件でトラッキング用クッキーが存在しなかった場合、処理を終了する。
トラッキング用クッキーが存在した場合、内容を読み込む。
ソケットプログラム（受信用）を図８（ａ）のパラメタを付与した形でデータを送信する。
図８（ｂ）に購入商品情報の一例について示す。
【００３４】
＜成果受信用ソケットプログラム＞
成果受信用ソケットプログラム（成果データ受信手段）の処理の概要について説明する。
成果受信用ソケットプログラムは、成果送信用ソケットプログラムによって送信される成果データを受信する。
成果送信用ソケットプログラムから受け取ったパラメタに基づいてコンバージョンした成果データをその時点で適用された報酬金額で保存する。
図９に成果受信用ソケットプログラムのパラメタの一例を示す。
注文番号、多段階報酬識別子、店舗番号、購入商品情報、クリック日時、IPアドレス、UserAgentについては成果地点毎に設定を変更する。
【００３５】
図１０から１２に基づいて広告主サイトサーバー装置における処理の流れを説明する。
＜除外リストチェック＞
除外ドメインリストを用いてクッキーを発行するか否かを判断する（Ｓ１００１）。
以下の場合は対象外と判断し（Ｓ１００３でＹＥＳ）Cookieを発行しない。
・ノーリファラーの場合
・モバイルアクセスの場合（ＵＡに基づいて判別する）
・画像ファイルの場合（拡張子に基づいて判別する）
・リファラーが除外ドメインリストとしてファイルに登録されている場合
除外ドメインリストが存在しない場合、または除外ドメインリストを取得できなかった場合（Ｓ１００２でＮＯ）、除外ドメインチェック（除外リストチェック）は行わない。
・パートナーサイト情報が取得できなかった場合
【００３６】
除外ドメインリストは広告主サイトサーバー装置内に配置する。
除外ドメインリストの記載情報はドメインごとに改行して記述される。除外ドメインリストの一例を以下に示す。
.abc.jp
.tokyo.jp
.gnv.co.jp
.gohan.com
除外ドメインリストの各行に記載のドメインと、アクセスユーザのリファラーから取得したＵＲＬのドメイン部分が完全一致した時点で除外対象とする（Ｓ１００３でＹＥＳ）。
【００３７】
＜パートナーサイト情報取得処理＞
パートナー認証（memcached）ファイルを読み込むことができ（Ｓ１００５でＹＥＳ）、アクセスユーザのリファラーがパートナーサイト認証ファイルに定義されているか検索し、認証されているパートナーサイトであると判断した場合に（Ｓ１００６でＹＥＳ）、トラッキング用クッキーを発行し（Ｓ１１０４）、クリックログファイルを出力する（Ｓ１１０６）。
【００３８】
＜リファラーとパートナーサイトＵＲＬのマッチング＞
リファラーとパートナーサイトＵＲＬのマッチングについて説明する。
リファラーから下記のＵＲＬを取得したとする。
http://eblo.jp/921614359632/aaaa/aaaaa.html
この場合
mr_eblo.jp/921614359632/aaaa/aaaaa.html
（mrはサブドメインを意味する。）
をＫＥＹとしてマッチングして、マッチングしない場合には２回（トップドメインを含め３階層まで対象）まで下る。本実施形態では３階層とするが、下る階層は別途定義すれば３階層に限定されない。
階層はトップドメインを１階層とカウントする。
【００３９】
具体的には、まず
mr_eblo.jp
をＫＥＹとしてマッチングを実行し、パートナーサイト情報内のパートナーサイトＵＲＬのいずれかと完全一致したら（Ｓ１００６でＹＥＳなら）Ｓ１１０３へ進み、完全一致するものが無ければ（Ｓ１００６でＮＯなら）Ｓ１１０１へ進む。
まだ１階層目だから（Ｓ１１０１でＮＯ）、Ｓ１１０２へ進み
mr_eblo.jp/921614359632
をＫＥＹとしてマッチングを実行し、パートナーサイト情報内のパートナーサイトＵＲＬのいずれかと完全一致したら（Ｓ１００６でＹＥＳなら）Ｓ１１０３へ進み、完全一致するものが無ければ（Ｓ１００６でＮＯなら）Ｓ１１０１へ進む。
まだ２階層目だから（Ｓ１１０１でＮＯ）、Ｓ１１０２へ進み
mr_eblo.jp/921614359632/aaaa
をＫＥＹとしてマッチングを実行し、パートナーサイト情報内のパートナーサイトＵＲＬのいずれかと完全一致したら（Ｓ１００６でＹＥＳなら）Ｓ１１０３へ進み、完全一致するものが無ければ（Ｓ１００６でＮＯなら）Ｓ１１０１へ進む。
３階層までやってもマッチングしない場合には（Ｓ１１０１でＹＥＳ）、対象外とし、クッキーを発行しないルートでレスポンスを出力する（Ｓ１１０７）。
【００４０】
＜Ｃｏｏｋｉｅ発行処理＞
リクエスト情報、memcachedから取得した情報を元にクッキーを生成し、発行する（Ｓ１１０４）。
【００４１】
＜クリックログ出力処理＞
リクエスト情報、memcachedから取得した情報を元に、クリックログを出力する（Ｓ１１０６）。
・クリックログ出力タイミング
１クリックで１回出力する。Ｃｏｏｋｉｅが複数発行されたとしてもクリックログは１回だけとする。
・クリックログ出力先
出力場所：広告主サーバー /xxx/xxx/xxx/xxx
出力先はhttpd.confまたは外部定義ファイルに記載する。
ログファイル名は、例えばclick_log_YYYYMMDD.logとする。
【００４２】
＜ソケットプログラムによる成果データの送信＞
成果地点に設置されたソケットプログラムにてクッキーを保持しているユーザーがアクセスした場合に（Ｓ１１０８）、クッキーを読み込み、アフィリエイトシステムに成果情報を送信し（Ｓ１２０２）、クッキーを削除する。
【００４３】
＜成果データの確定＞
広告主サイトサーバーから送信された成果データを受信し（Ｓ１２２１）、注文情報を処理する。
【符号の説明】
【００４４】
１−ｋ：エンドユーザー端末装置
２−ｎ：パートナーサイトサーバー装置
３−ｒ：広告主サイトサーバー装置
４：共有ストレージ装置
５：アフィリエイトサーバー装置
２０１：Ｗｅｂページ提供手段
２０２：除外リストチェック手段
２０３：パートナーサイトチェック手段
２０４：Ｃｏｏｋｉｅ発行手段
２０５：クリックログ出力手段
２０６：クリックログ送信手段
２０７：成果データ送信手段
２０８：記憶手段
【図１】
2014142724.tif 000003
【図２】
2014142724.tif 000004
【図３】
2014142724.tif 000005
【図４】
2014142724.tif 000006
【図５】
2014142724.tif 000007
【図６】
2014142724.tif 000008
【図７】
2014142724.tif 000009
【図８】
2014142724.tif 000010
【図９】
2014142724.tif 000011
【図１０】
2014142724.tif 000012
【図１１】
2014142724.tif 000013
【図１２】
2014142724.tif 000014